(57)【特許請求の範囲】
【請求項１】
入力された指示を解析する解析手段と、
前記解析手段による解析の結果に基づいて、オンスクリーンディスプレイ画像を作成する特定画像作成手段と、
前記解析手段による解析の結果に基づいて、入力された画像に対して画質の調整を行う画質調整手段と、
前記入力された画像を複数の領域に区画し、前記画質調整手段による調整の前後間での前記画像の画素の輝度値の変化を前記領域毎に算出する算出手段と、
前記算出手段により算出された前記領域毎の画素の輝度値の変化に基づいて、前記複数の領域のうちから、前記オンスクリーンディスプレイ画像を合成する領域を決定する領域決定手段と、
前記領域決定手段により決定された領域に前記オンスクリーンディスプレイ画像を合成する合成手段と、
を有し、
前記領域決定手段は、前記複数の領域のうちで最も画素の輝度値の変化が小さいものを、前記オンスクリーンディスプレイ画像を合成する領域として決定することを特徴とする画像表示装置。
【請求項２】
前記領域決定手段は、前記画質調整手段による画質調整の内容が変化した場合に動作することを特徴とする請求項１に記載の画像表示装置。
【請求項３】
前記解析手段による解析の結果に基づいて、画質調整値を決定して前記画質調整手段に対して出力する画質調整値決定手段と、
前記画質調整値の変化を監視し、前記画質調整値が変化した場合にその旨を前記領域決定手段に出力する監視手段と、
を有することを特徴とする請求項２に記載の画像表示装置。
【請求項４】
前記算出手段は、前記領域の大きさ及び数を、前記オンスクリーンディスプレイ画像の表示画面上での面積に応じて決定することを特徴とする請求項１乃至３のいずれか１項に記載の画像表示装置。
【請求項５】
前記算出手段は、前記画像の画素値の変化として、前記領域を構成する全画素における輝度の変化の平均値を算出することを特徴とする請求項１乃至４のいずれか１項に記載の画像表示装置。
【請求項６】
前記算出手段は、前記画像の画素値の変化として、前記領域を構成する画素のうちから選択された複数における輝度の変化の平均値を算出することを特徴とする請求項１乃至４のいずれか１項に記載の画像表示装置。
【請求項７】
入力された指示を解析する解析ステップと、
前記解析ステップにおける解析の結果に基づいて、オンスクリーンディスプレイ画像を作成する特定画像作成ステップと、
前記解析ステップにおける解析の結果に基づいて、入力された画像に対して画質の調整を行う画質調整ステップと、
前記入力された画像を複数の領域に区画し、前記画質調整ステップにおける調整の前後間での前記画像の画素の輝度値の変化を前記領域毎に算出する算出ステップと、
前記算出ステップにおいて算出した前記領域毎の画素の輝度値の変化に基づいて、前記複数の領域のうちから、前記オンスクリーンディスプレイ画像を合成する領域を決定する領域決定ステップと、
前記領域決定ステップにおいて決定した領域に前記オンスクリーンディスプレイ画像を合成する合成ステップと、
を有し、
前記領域決定ステップは、前記複数の領域のうちで最も画素の輝度値の変化が小さいものを、前記オンスクリーンディスプレイ画像を合成する領域として決定することを特徴とする画像表示装置の制御方法。
【請求項８】
コンピュータに、
入力された指示を解析する解析ステップと、
前記解析ステップにおける解析の結果に基づいて、オンスクリーンディスプレイ画像を作成する特定画像作成ステップと、
前記解析ステップにおける解析の結果に基づいて、入力された画像に対して画質の調整を行う画質調整ステップと、
前記入力された画像を複数の領域に区画し、前記画質調整ステップにおける調整の前後間での前記画像の画素の輝度値の変化を前記領域毎に算出する算出ステップと、
前記算出ステップにおいて算出した前記領域毎の画素の輝度値の変化に基づいて、前記複数の領域のうちから、前記オンスクリーンディスプレイ画像を合成する領域を決定する領域決定ステップと、
前記領域決定ステップにおいて決定した領域に前記オンスクリーンディスプレイ画像を合成する合成ステップと、
を実行させ、
前記領域決定ステップは、前記複数の領域のうちで最も画素の輝度値の変化が小さいものを、前記オンスクリーンディスプレイ画像を合成する領域として決定することを特徴とするプログラム。
【発明の詳細な説明】
【技術分野】
【０００１】
本発明は、オンスクリーンディスプレイ（ＯＳＤ：On Screen Display）を用いた画質調整が可能な画像表示装置及びその制御方法等に関する。
【背景技術】
【０００２】
近年、ディスプレイとして、表示されている映像の画質の調整に際し、当該映像の上に画質調整用のメニューを重ねて表示し、ユーザにメニューに含まれている調整項目の選択を行わせるものが実用化されている。このような従来のディスプレイの画面の例を図５に示す。
【０００３】
しかしながら、このような従来のディスプレイでは、メニューと重なっている部分の映像が見にくくなるため、この部分における画質の調整結果を確認しにくい。従って、この部分が最も画質調整による影響を受けやすく、画質調整の効果を確認する箇所として最も適している部分である場合には、適切な画質調整を行いにくい。
【０００４】
このような問題を解決しようとする第１の従来技術として、メニューの表示位置をユーザ（調整者）によるリモコンの十字キー等の操作に応じて変更可能としたものがある。また、第２の従来技術として、映像を複数の領域に分け、領域内での輝度のばらつきを求め、ばらつきの少ない領域にメニューを移動させるものもある（特許文献１）。更に、第３の従来技術として、映像を複数の領域に分け、領域内で動画における輝度の変化量を監視し、変化量の少ない領域にメニューを移動させるものもある（特許文献２）。
【０００５】
【特許文献１】特許第３０２６２２７号公報
【特許文献２】特開２００５−２４２２０４号公報
【発明の開示】
【発明が解決しようとする課題】
【０００６】
しかしながら、第１の従来技術では、画質の調整を開始した後に調整者がその調整を中断して表示位置を手動で変更する必要があるため、画質調整そのもの以外の操作が必要となり、画質調整の妨げとなる。
【０００７】
また、第２の従来技術では、輝度のばらつきが全く同じ領域が複数存在する場合には、メニューの適切な移動が不可能となる。また、輝度のばらつきが少ない領域において調整効果が大きくなる場合もあるため、メニューの移動の結果、最も画質調整が効く位置にメニューが表示されることもある。
【０００８】
また、第３の従来技術では、動きが全くない領域において調整効果が大きくなる場合もあるため、メニューの移動の結果、最も画質調整が効く位置にメニューが表示されることもある。
【０００９】
本発明は、画質調整を行う者の操作性及び調整効果の確認のしやすさを向上させることができる画像表示装置及びその制御方法等を提供することを目的とする。
【課題を解決するための手段】
【００１０】
本願発明者は、前記課題を解決すべく鋭意検討を重ねた結果、以下に示す発明の諸態様に想到した。
【００１１】
本発明の画像表示装置は、入力された指示を解析する解析手段と、前記解析手段による解析の結果に基づいて、オンスクリーンディスプレイ画像を作成する特定画像作成手段と、前記解析手段による解析の結果に基づいて、入力された画像に対して画質の調整を行う画質調整手段と、前記入力された画像を複数の領域に区画し、前記画質調整手段による調整の前後間での前記画像の画素の輝度値の変化を前記領域毎に算出する算出手段と、前記算出手段により算出された前記領域毎の画素の輝度値の変化に基づいて、前記複数の領域のうちから、前記オンスクリーンディスプレイ画像を合成する領域を決定する領域決定手段と、前記領域決定手段により決定された領域に前記オンスクリーンディスプレイ画像を合成する合成手段と、を有し、前記領域決定手段は、前記複数の領域のうちで最も画素の輝度値の変化が小さいものを、前記オンスクリーンディスプレイ画像を合成する領域として決定することを特徴とする。
【発明の効果】
【００１３】
本発明によれば、複数の領域のうちで画質調整に伴う画素値の変化に基づいてオンスクリーンディスプレイ画像の表示位置が決定されるので、画質調整の効果を確認しやすくすることができる。また、オンスクリーンディスプレイ画像の位置を調整者が指示する必要がないため、操作が煩雑になることも回避することができる。
【発明を実施するための最良の形態】
【００１４】
以下、本発明の実施形態について添付の図面を参照して具体的に説明する。図１は、本発明の実施形態に係るディスプレイ（画像表示装置）のシステム構成を示す機能ブロック図である。このディスプレイは、オンスクリーンディスプレイ（ＯＳＤ：On Screen Display）を具えている。
【００１５】
そして、このディスプレイには、図１に示すように、指示受信部１０１、入力指示解析部１０２、画質調整値決定部１０３、画質調整値監視部１０４、及びＯＳＤ画像作成部１０５が設けられている。更に、画質調整部１０６、差分算出部１０７、ＯＳＤ表示領域決定部１０８、画像合成部１０９、及び表示部１１０も設けられている。
【００１６】
指示受信部１０１は、例えば赤外線検知インタフェースであり、リモコンからの入力指示を受信する。入力指示解析部１０２は、解析手段として、指示受信部１０１が受信した入力指示を解析する。画質調整値決定部１０３は、画質調整値決定手段として、入力指示に画質の調整に関するものが含まれている場合に、この指示に基づいて画質調整に用いる画質調整値を決定する。画質調整値監視部１０４は、監視手段として、画質調整値決定部１０３が決定した画質調整値がその直近のものから変化しているかどうかを検出する。ＯＳＤ画像作成部１０５は、特定画像作成手段として、入力指示に画質の調整に関するものが含まれている場合に、この指示に基づいて現在の画質調整値を反映させたメニューをＯＳＤ画像として作成する。ＯＳＤ画像作成部１０５は、画質調整値監視部１０４が画質調整値の変化を検出した場合には、その都度、メニューの内容を最新のものに更新する。
【００１７】
画質調整部１０６は、画質調整手段として、外部から入力された画像信号１１１に対し、画質調整値決定部１０３によって決定された画質調整値を用いて画質の調整を行う。差分算出部１０７は、算出手段として、入力された画像信号１１１を複数の表示候補領域に区画し、入力された画像信号１１１と画質調整部１０６から出力された画像信号との画素値の差の平均値を表示候補領域毎に算出する。この表示候補領域の詳細については後述する。ＯＳＤ表示領域決定部１０８は、画質調整値監視部１０４によって画素調整値の変化が検出された場合に、差分算出部１０７から出力された表示候補領域毎の輝度の差の平均値に基づいて、複数の表示候補領域のうちからＯＳＤ画像を表示する領域を決定する。つまり、ＯＳＤ表示領域決定部１０８は領域決定手段として機能する。画像合成部１０９は、合成手段として、画質調整部１０６から出力された画像信号から作成される画像に、当該画像のＯＳＤ表示領域決定部１０８により決定された領域にＯＳＤ画像作成部１０５により作成されたＯＳＤ画像が重なるように、ＯＳＤ画像を合成する。画像合成部１０９は、ＯＳＤ画像作成部１０５によってＯＳＤ画像が作成されていない場合には、画質調整部１０６から出力された画像信号をそのまま出力する。表示部１１０は、画像合成部１０９から出力された画像信号を画像化し、これを表示する。
【００１８】
次に、表示候補領域について説明する。表示候補領域とは、ＯＳＤ画像が表示されることがある領域であり、その大きさ、数及び位置は差分算出部１０７により設定される。例えば、水平画素数が８、垂直画素数が６、総画素数が４８の画像信号が入力される場合には、例えば、図２に示すように、水平画素数が４、垂直画素数が３の総計で４個の領域（総画素数：１２）が表示候補領域Ａ、Ｂ、Ｃ、Ｄとして設定される。そして、これらの４個の表示候補領域Ａ〜Ｄのうちから１個の領域が、ＯＳＤ表示領域決定部１０８によって、ＯＳＤ画像を表示する領域として決定される。
【００１９】
次に、差分算出部１０７による表示候補領域毎の輝度の差の平均値の算出について説明する。差分算出部１０７は、先ず、表示候補領域のいずれかについて、当該表示候補領域を構成する画素を、図３に示すように、ｐ１１、ｐ１２、ｐ１３、ｐ１４、ｐ２１、・・・、ｐ３４と表す。そして、差分算出部１０７は、画像信号１１１における各画素の輝度を求め、これらをｙ１１、ｙ１２、ｙ１３、ｙ１４、ｙ２１、・・・、ｙ３４とする。また、差分算出部１０７は、画質調整部１０６から出力された画像信号における各画素の輝度を求め、これらをｙ´１１、ｙ´１２、ｙ´１３、ｙ´１４、ｙ´２１、・・・、ｙ´３４とする。次いで、差分算出部１０７は、各画素における画質調整の前後での輝度の差の平均値を求める。即ち、差分算出部１０７は、「（ｙ１１−ｙ´１１）＋（ｙ１２−ｙ´１２）＋・・・＋（ｙ３４−ｙ´３４）｝／１２」の演算を行う。この処理を他の表示候補領域についても行う。この結果、画質調整の前後間での表示候補領域毎の輝度の差の平均値が算出される。
【００２０】
なお、表示候補領域の輝度の差の平均値の算出にあたり、常に表示候補領域内の全画素を用いる必要はなく、予め複数の代表点を設定しておき、これら代表点における輝度の差の平均値を算出してもよい。
【００２１】
また、本実施形態では、候補領域内に含まれる画素値の変化として、輝度の差の平均値を表示領域決定の判断材料としているが、輝度差の平均値に限定されるわけではない。例えば、輝度差の最大値、色度差の平均値、色度差の最大値などを用いてもよい。
【００２２】
次に、ＯＳＤ表示領域決定部１０８の動作について説明する。図４は、ＯＳＤ表示領域決定部１０８の動作を示すフローチャートである。ＯＳＤ表示領域決定部１０８は、上述のように、画質調整値監視部１０４によって画素調整値の変化が検出された場合にＯＳＤ画像を表示する領域を決定する。つまり、図４に示す処理は、画質調整値が変化して画質調整の内容が変化した場合に行われ、画質調整値が変化していない場合は、ＯＳＤ表示領域決定部１０８は、直近に決定した領域を出力し続ける。なお、図４に示す処理では、４種類の変数Ｙｍｉｎ、Ａｍｉｎ、Ｙｃｒｔ、Ａｃｒｔを用いることとする。変数Ａｍｉｎは、比較の基準となる表示候補領域を示す変数である。変数Ｙｍｉｎは、変数Ａｍｉｎが示す表示候補領域の輝度差平均値を示す変数である。つまり、変数Ｙｍｉｎは、比較の基準となる輝度差平均値を示す。変数Ａｃｒｔは、比較対象とする表示候補領域を示す変数である。変数Ｙｃｒｔは、変数Ａｃｒｔが示す表示候補領域の輝度差平均値を示す変数である。つまり、変数Ｙｃｒｔは、比較対象となる輝度差平均値を示す。
【００２３】
ＯＳＤ表示領域決定部１０８は、画質調整値監視部１０４によって画素調整値の変化が検出され、これが入力されると、先ず、デフォルトの表示候補領域を示す値をＡｍｉｎに、このデフォルトの表示候補領域の輝度差平均値をＹｍｉｎに、夫々代入する（ステップＳ４０１）。デフォルトの表示候補領域は、例えば、直近にＯＳＤ画像を表示する領域として決定した表示候補領域である。また、任意に選択してもよい。
【００２４】
次いで、ＯＳＤ表示領域決定部１０８は、デフォルトの表示候補領域以外の表示候補領域のうちから任意に一つの表示候補領域を選択する（ステップＳ４０２）。
【００２５】
次いで、ＯＳＤ表示領域決定部１０８は、選択した表示候補領域を示す値をＡｃｒｔに、この選択した表示候補領域の輝度差平均値をＹｃｒｔに、夫々代入する（ステップＳ４０３）。
【００２６】
次いで、ＯＳＤ表示領域決定部１０８は、Ｙｍｉｎの値とＹｃｒｔの値とを比較する（ステップＳ４０４）。そして、ＯＳＤ表示領域決定部１０８は、Ｙｃｒｔの値がＹｍｉｎの値より小さい場合にはステップＳ４０５の処理を行うこととし、そうでない場合にはステップＳ４０６の処理を行うこととする。
【００２７】
ステップＳ４０５において、ＯＳＤ表示領域決定部１０８は、Ｙｃｒｔの値をＹｍｉｎに、Ａｃｒｔの値をＡｍｉｎに、夫々代入する。その後、ＯＳＤ表示領域決定部１０８は、ステップＳ４０６の処理を行う。
【００２８】
ステップＳ４０６において、ＯＳＤ表示領域決定部１０８は、全ての表示候補領域についてのステップＳ４０４の判定を含むステップＳ４０３〜Ｓ４０５の処理が終了したかを判断する。そして、ＯＳＤ表示領域決定部１０８は、終了している場合にはステップＳ４０８の処理を行うこととし、終了していない場合にはステップＳ４０７の処理を行うこととする。
【００２９】
ステップＳ４０７において、ＯＳＤ表示領域決定部１０８は、ステップＳ４０４の判定を含むステップＳ４０３〜Ｓ４０５の処理を行っていない表示候補領域の一つを任意に選択し、その後、ステップＳ４０３の処理を行う。
【００３０】
ステップＳ４０８において、ＯＳＤ表示領域決定部１０８は、最終的にＡｍｉｎの値が示している表示候補領域を、ＯＳＤ画像を表示する領域に決定し、この表示候補領域内でのＯＳＤ画像の表示開始位置を設定する。
【００３１】
このようにして、ＯＳＤ画像の表示領域が決定される。そして、この表示領域に、ＯＳＤ画像作成部１０５により作成されたＯＳＤ画像が画像合成部１０９によって合成され、合成後の画像信号が表示部１１０によって画像化されて標示される。
【００３２】
このような本実施形態によれば、複数の表示候補領域のうちで最も画質調整に伴う輝度の変化が小さい領域にＯＳＤ画像が表示される。つまり、画質調整の影響を最も受けにくい領域にＯＳＤ画像としてメニューが表示され、画質調整による画質の変化が大きい部分にはＯＳＤ画像が表示されない。従って、これらが重なり合うことによる画質調整の判断の困難を未然に回避することができる。このため、容易に画質調整の効果を判断することができる。また、ＯＳＤ画像の位置を調整者（ユーザ）が指示する必要がないため、操作が煩雑になることも回避することができる。
【００３３】
なお、上述の実施形態では、表示候補領域が４個とされているが、表示候補領域の数は複数であればよい。また、各表示候補領域に含まれる画素の数も特に限定されない。例えば、ＯＳＤ画像が表示画面上に占める面積が大きい場合には、表示候補領域の数を少なくすると共に、表示候補領域内の画素数を多くしてもよい。逆に、ＯＳＤ画像が表示画面上に占める面積が小さければ、表示候補領域の数を多くすると共に、表示候補領域内の画素数を少なくしてもよい。
【００３４】
また、上述の実施形態では、赤外線を用いたリモコンから入力指示がなされる構成が採用されているが、指示の入力は特に限定されない。例えば、調整ダイヤル（回転式調整器）、タッチパネル、マウス等を用いてもよい。
【００３５】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記の印刷処理用のプログラムも本発明の実施形態として適用することができる。上記のプログラム、記録媒体、伝送媒体及びプログラムプロダクトは、本発明の範疇に含まれる。
【図面の簡単な説明】
【００３６】
【図１】本発明の実施形態に係るディスプレイ（画像表示装置）のシステム構成を示す機能ブロック図である。
【図２】表示候補領域の概要を示す模式図である。
【図３】差分算出部１０７の処理を示す模式図である。
【図４】ＯＳＤ表示領域決定部１０８の動作を示すフローチャートである。
【図５】従来のディスプレイの画面の例を示す模式図である。
【符号の説明】
【００３７】
１０１：指示受信部
１０２：入力指示解析部
１０３：画質調整値決定部
１０４：画質調整値監視部
１０５：ＯＳＤ画像作成部
１０６：画質調整部
１０７：差分算出部
１０８：ＯＳＤ表示領域決定部
１０９：画像合成部
１１０：表示部
【図１】
0005283890.tif 000002
【図２】
0005283890.tif 000003
【図３】
0005283890.tif 000004
【図４】
0005283890.tif 000005
【図５】
0005283890.tif 000006